(57)【要約】  エンボス加工ローラ（Ｒ；２５１〜２５７）用のマガジン（２４５）は、整列方向に沿って相互に隣接する、エンボス加工ローラ用の複数の支持シート（２４９；２４９Ａ〜２４９Ｅ）を備えている。マガジンは、さらに、シート（２４９；２４９Ａ〜２４９Ｅ）を操作方向（ｆ２４７）にガイドするガイドシステム（５）を有する。前記シート（２４９；２４９Ａ〜２４９Ｅ）には、相互に連結及び解放するように相互連結部材（２５，２７）が設けられている。【選択図】  図３
2019510660.tif 000002
【特許請求の範囲】
【請求項１】
エンボス加工ローラ（R；２５１〜２５７）用のマガジン（２４５）であって、
・整列方向に沿って相互に隣接する、エンボス加工ローラ用の複数の支持シート（２４９；２４９A〜２４９E）と、
・操作方向（ｆ２４７）で、シート（２４９；２４９A〜２４９E）をガイドするガイドシステム（５）と
を備え、
各シートを他のシートとは独立してマガジン（２４５）から引き出すために、シート（２４９；２４９A〜２４９E）に相互連結部材（２５，２７）を設け、相互に連結され、かつ、相互に解放されるようにした
ことを特徴とするエンボス加工ローラ用マガジン。
【請求項２】
前記シートが、操作方向（ｆ２４７）と平行でない挿入及び引出し方向（F）に沿った動きによって、マガジンから引き出され、かつ、マガジンに挿入され得る
ことを特徴とする請求項１に記載のマガジン。
【請求項３】
相互連結部材が、挿入及び引出し方向（F）に沿った連結及び解放動作によって、シート（２４９；２４９A〜２４９E）が相互に連結され、かつ、解放されることを可能にするように構成されている
ことを特徴とする請求項２に記載のマガジン。
【請求項４】
挿入及び引出し方向（F）が、操作方向（ｆ２４７）に実質的に直交している
ことを特徴とする請求項２又は３に記載のマガジン。
【請求項５】
シート（２４９）が、好ましくはシートの整列方向に従って、マガジン（２４５）内で移動可能なキャリッジ（２４７）のセクション（１）に設けられている
ことを特徴とする請求項１〜４の何れか一項に記載のマガジン。
【請求項６】
ガイドシステムが、それらの間にキャリッジ（２４７）用の移送空間（７）を画定する二つの長手方向平行ガイド（５）を備え、
キャリッジの各シート（２４９；２４９A〜２４９E）に、長手方向ガイド（５）に係合する係合要素（２３）を設けた
ことを特徴とする請求項５に記載のマガジン。
【請求項７】
各長手方向ガイド（５）が、その長手方向伸長部に沿った中間位置にギャップ（１７）を備え、
二つのガイドのギャップが、挿入及び引出し方向（F）に整列され、移動空間（７）からのシート（２４９；２４９A〜２４９E）の引き出し及び移動空間（７）内へのシートの挿入のための引出し及び挿入ステーション（２１）を画定する
ことを特徴とする請求項６に記載のマガジン。
【請求項８】
さらに、二つの長手方向ガイド部材（１９A，１９Ｂ）を備え、
前記ガイド部材は、長手方向ガイド（５）から分離され得、かつ、連続長手方向ガイドを形成するように、長手方向ガイドのギャップ内に挿入され、それらと整列されるように構成され得る
ことを特徴とする請求項７に記載のマガジン。
【請求項９】
二つのガイド部材（１９Ａ，１９Ｂ）が、連結バー（２０）によって相互に連結される
ことを特徴とする請求項８に記載のマガジン。
【請求項１０】
二つの長手方向ガイド部材（１９Ａ，９１Ｂ）が、引出し及び挿入ステーション（２１）に位置するシート（２４９；２４９Ａ〜２４９Ｅ）に選択的に結合され得る
ことを特徴とする請求項８又は９に記載のマガジン。
【請求項１１】
前記長手方向ガイド部材（１９Ａ，１９Ｂ）の少なくとも一つが、長手方向ガイド部材（１９Ａ，１９Ｂ）及びそれに連結されたシート（２４９；２４９Ａ〜２４９Ｅ）を、挿入及び引出し方向（Ｆ）に動かすように構成され、かつ、配置された第一モータ（４１）に接続されている
ことを特徴とする請求項１０に記載のマガジン。
【請求項１２】
さらに、シート（２４９）を挿入及び引出し方向（Ｆ）に動かすための横方向ガイドシステム（２９）を備え、
横方向ガイドシステムが引出し及び挿入ステーション（２１）でのびている
ことを特徴とする請求項７〜１１の何れか一項に記載のマガジン。
【請求項１３】
各長手方向ガイド部材（１９Ａ，１９Ｂ）に、横方向ガイドシステム（２９）と係合する係合部材（３７Ａ，３７Ｂ，３９Ａ，３９Ｂ）が設けられている
ことを特徴とする請求項１２に記載のマガジン。
【請求項１４】
シートが、操作方向（ｆ２４５）にシート（２４５）を動かすための第二モータ（１５）が設けられたモータ駆動補助セクション（３）に固定され得る
ことを特徴とする請求項１〜１３の何れか一項に記載のマガジン。
【請求項１５】
・支持構造体（２０１）と、
・エンボス突起（２０９Ｐ）が設けられた少なくとも一つのエンボス加工ローラ（２０９）と、
・エンボス加工ローラと共にエンボスニップ（２１７）を画定する少なくとも一つの加圧ローラ（２１３）と、
・支持構造体（２０１）に一体的に設けられた請求項１〜１４の何れか一項に記載のエンボス加工ローラ（Ｒ；２５１〜２５７）用マガジン（２４５）と
を備えていることを特徴とするエンボス加工装置。
【請求項１６】
さらに、エンボス加工ローラを前記エンボス加工ローラ用マガジン（２４５）から、及びエンボス加工ローラ用マガジン（２４５）に向けて移送するための操作部材（２４１）を備えている
ことを特徴とする請求項１５に記載のエンボス加工装置。
【請求項１７】
・少なくとも一つのウェブ材料のプライ（Ｖ１；Ｖ２）を、エンボスニップ（２１７）を通して供給し、ウェブ材料のプライを、エンボス加工ローラ及び加圧ローラを用いてエンボス加工するステップと、
・ウェブ材料のプライ（Ｖ１；Ｖ２）をエンボス加工している間に、一つ又は複数のエンボス加工ローラをマガジン（２４５）から取り出し、及び／又はマガジン（２４５）に挿入するステップと
を備えていることを特徴とする請求項１５又は１６のエンボス加工装置の操作方法。
【発明の詳細な説明】
【技術分野】
【０００１】
本発明は、ウェブ材料、例えば、特にマルチプライセルロース材料の加工用装置の分野の改良に関する。より詳細には、本発明は、特に、薄葉紙用のエンボス加工機械又は装置及びその部品又は構成要素に関する。
【背景技術】
【０００２】
セルロール紙材料の製品、例えば、トイレットペーパーロール、キッチンタオルロール、紙製ハンカチ、ペーパーナプキン等では、セルロース紙は、通常、一対のスチールローラ又は、スチール若しくは他の比較的剛性の材料で形成されたローラと、ゴムのような降伏する材料で覆われたローラとで構成された一対のローラで形成されたエンボスニップを通してプレスすることによって、エンボス加工される。スチールローラは、加圧ローラの弾性的に降伏するコーティングに入り込む複数の突起部を有する。
エンボス加工ローラと加圧ローラとの間の圧力は、エンボス加工ローラと加圧ローラとの間のエンボスニップを通過するセルロース材料のウェブに恒久的な変形を生じさせる。その中の少なくとも一つ、その中の幾つか、又は全てがエンボス加工された二つ又はそれ以上のプライは、その後、マルチプライウェブ材料を形成するために一緒に結合される。
ウェブ材料はロールを形成するために巻き回され得る。また、ウェブ材料は、ナプキン又はハンカチ等を形成するために切断して折り畳まれ得る。
【０００３】
各プライは、セルロース材料の一つ又は複数の層で構成され得る。
【０００４】
エンボスパターンは、装飾的目的及び機能的目的の両方を有する。機能的な観点からみると、エンボス加工は、ウェブ材料を形成する複数のプライを結合するために、その上に接着剤が塗布される限られた領域を形成する。エンボス加工の別の目的は、ウェブ材料の全体の厚みを増加させ、柔軟性及び吸入能力を増加させ、かつ、当業者に公知の他の機能を増加させることにある。
【０００５】
一般的に言うと、エンボス加工装置は、少なくとも一つのプライ上にエンボス加工を施す装置であり、場合によっては、少なくとも一つのプライ上、好ましくは、一つ又は複数のプライに形成された少なくとも幾つかのエンボス突起の頂面上に塗布した接着剤を使用して、ラミネーション加工によって二つ又はそれ以上のプライを結合する。
【０００６】
近年のティッシュペーパー製造ラインの要求を満たすためには、例えば、トイレットペーパーの製造からキッチンタオルの製造に、又は、その逆に切り替えるために、ウェブ材料のパターンを変化させ、かつ、その技術的及び機能的特徴を変更する目的で、エンボス加工装置のエンボス加工ローラを交換しなければならない。実際、エンボス加工は、審美的目的だけでなく、幾つかの場合、機能的目的も有するので、トイレットペーパーの製造に適したエンボスパターンは、キッチンタオルの製造に必ずしも適しているとは限らず、逆もまた同じである。また、セルロースプライの堅さ、坪量及び容量は、製造すべき製品のタイプに依存して異なり、異なる製品には、異なるエンボスパターンが要求され得る。
【０００７】
ローラ交換をより簡単にかつ迅速に行うための特別な解決手段を有するエンボス加工ユニット又は装置が研究されている。
【０００８】
国際公開WO-A-2015/150452公報は、交換加工なエンボス加工ローラ用のマガジンが設けられた、エンボス加工装置又はエンボス及びラミネート加工装置の例を開示している。この方法では、エンボス加工装置に搭載された一つ又は複数のエンボス加工ローラを、マガジンに収容された他のエンボス加工ローラと交換することが可能である。この目的のために、エンボス加工ローラをマガジンから、エンボス加工装置が設けられているエンボス加工ローラ用支持部材に移送し、かつ、その逆の操作を行う特別な操作部材が設けられている。国際公開WO-A-2015/150452号公報に開示されている幾つかの実施例では、整列方向に沿って相互に隣接した複数のエンボス加工ローラ支持シートが設けられたキャリッジと、支持シートの整列方向に平行な操作方向にキャリッジをガイドするガイドシステムとを備えたエンボス加工ローラ用マガジンが設けられている。
【０００９】
このマガジンは、エンボス加工装置を、より効率的に、かつ、汎用性があるものにするために特に有用であり、エンボス加工ローラの交換を迅速に行うことを可能にする。
【００１０】
しかし、エンボス加工ローラの交換をより簡単にし、より効率的に、かつ、迅速にし、さらに、エンボス加工装置の能力を向上させるために、エンボス加工ローラマガジン及び前記マガジンを備えたエンボス加工装置のさらなる改良が依然として求められている。
【発明の概要】
【００１１】
一つの特徴によれば、整列方向に沿って相互に隣接する複数のエンボス加工ローラ用支持シートを備えたエンボス加工ローラ用マガジンが開示される。また、ガイドシステムが、操作方向にシートをガイドするために設けられる。操作方向に従って動きによって、各シートを所定のステーション、例えば、エンボス加工ローラを前記シートから取り出し、エンボス加工装置に入れることができるステーション、又は、エンボス加工装置から取り出されたエンボス加工ローラをマガジンシートに配置することができるステーションに選択的に動かすことが可能になる。さらに、又は選択的に、ステーションは、シングルローラをマガジンから取り出すか、又はマガジンに挿入するために、シートをマガジンから取り出し、かつ、マガジンに入れることができるステーションであり得る。シートには、相互に連結され、かつ、解放されるように相互連結部材が設けられ得る。幾つかの実施例では、相互連結部材は、操作方向と平行でない挿入及び排出方向に沿った固定及び解放動作によって、シートを相互に接続及び解放できるように構成される。これは本質的に、例えば、一方のシートを他方のシートに対して動かすことによって相互に結合し、かつ、相互に解放するようにシート上に形成された形状のプロファイルを用いた形状結合によって達成され得る。
【００１２】
別の特徴によれば、エンボス加工装置は、複数のエンボス加工突起が設けられた少なくとも一つのエンボス加工ローラと、エンボス加工ローラと共にエンボス加工ニップを画定する少なくとも一つの加圧ローラと、上述したエンボス加工ローラ用マガジンを備えている。
【００１３】
有利には、エンボス加工ローラ用マガジンは、エンボス加工装置の支持構造体と一体的にされ得る。また、支持構造体は、複数のシングルローラをマガジンから取り出し、それらを例えば、支持構造体に設けられた作業シートの作業位置に移送し、さらに、シングルエンボス加工ローラを作業位置から外し、それらをマガジンに移送するように構成され、かつ、配置された作業部材を、直接的又は間接的に支持し得る。
【００１４】
上述したタイプのマガジン及びエンボス加工装置によって、エンボス加工装置の著しい操作柔軟性が達成され得る。マガジンは、エンボス加工ユニットの動作中に、シングルエンボス加工ローラを引き出し及び挿入することを可能にし得る。この方法では、同一のエンボス加工装置との組み合わせて多数のエンボス加工ローラを使用することが可能になり、従って、高い操作柔軟性を達成する。さらにまた、エンボス加工ローラは、エンボス加工装置上で簡単に迅速に交換され得、従って、公知の解決手段に対して、同じエンボス加工装置において選択的に使用され得るエンボス加工ローラの数が増加し、メンテナンス時間を可能な限り短くし、従って、停止時間及びその結果生じる生産ロスを低減する。
【００１５】
マガジン及びそこからエンボス加工ローラを引き出すシステムによって、エンボス加工装置の動作中に、エンボス加工装置と組み合わされたエンボス加工ローラを清掃し、交換し、維持することが可能になる。
【００１６】
さらに別の特徴にすれば、支持構造体、複数のエンボス突起が設けられた少なくとも一つのエンボス加工ローラ、前記エンボス加工ローラと共にエンボス加工ニップを画定する少なくとも一つの加圧ローラ、支持構造体と一体にされたエンボス加工ローラ用マガジン、及びシングルエンボス加工ローラを作動位置からマガジンシートに及びその逆に移送するために支持構造体上に移動可能に設けられた操作部材を備えたエンボス加工装置を管理する方法が提供される。
【００１７】
前記方法は、有利には、少なくとも一つのウェブ材料プライをエンボス加工ニップを通して供給し、エンボス加工ローラ及び加圧ローラを用いてウェブ材料プライをエンボス加工するステップ、及びウェブ材料プライをエンボス加工している間に、一つ又は複数のエンボス加工ローラをマガジンから引き出し、及び／又はそれをマガジンに挿入するステップを有し得る。
【００１８】
マガジン及びエンボス加工装置のさらに有利な特徴及び実施例は、本明細書の不可欠な部分を形成する添付の特許請求の範囲に記載されている。
【００１９】
本発明は、発明の非限定的実施例を示す以下の説明及び図面によってより良く理解されることになる。
【図面の簡単な説明】
【００２０】
【図１】本発明によるマガジンが挿入され得るエンボス加工装置の側面図である。
【図１Ａ】図１におけるIAで示す部分の詳細の拡大図である。
【図１Ｂ】図１におけるIBで示す部分の詳細の拡大図である。
【図２】図１のエンボス加工装置におけるエンボス加工ローラの交換サイクルの一工程を示す。
【図３】マガジンの内部に配置されたキャリッジのシートの一つにローラが配置された状態のマガジンの平面図である。
【図３Ａ】図３におけるIIIA−IIIA線断面図を示している。
【図４】図３と同じ平面図であり、ローラ用支持キャリッジの部分を引き出す工程を示している。
【図５】図３における符号Vで示した部分の詳細の拡大図である。
【図５Ａ】図５のVA-VA線断面図である。
【図５Ｂ】図５のVB-VB線断面図である。
【図６】図３における符号VIで示した部分の詳細の拡大図である。
【図７】図３のVII-VII線から見た正面図である。
【図８】図６のVIII-VIII線断面図である。
【図９】図６のIX-IX線断面図である。
【図１０】図９のX-X断面図である。
【図１１】図９のXI-XI断面図である。
【発明を実施するための形態】
【００２１】
図１、図１A、図１B及び図２は、本発明によるエンボス加工ローラ用マガジンを組み込むことができるエンボス加工装置の一実施例を示している。ここに示したエンボス加工装置は、接着された多層ウェブ材料を製造するために、二つのエンボス加工ローラ及び二つの加圧ローラに加えて、接着ユニットを備えている。しかしながら、以下に示すエンボス加工ローラ用マガジンの新規な特徴は、様々なタイプのエンボス加工装置、例えば、接着ユニットを備えていないエンボス加工装置、一つのエンボス加工ローラ及び加圧ローラだけを備えたエンボス加工装置、又は、協働する二対以上のエンボス加工ローラ及び加圧ローラを備えたエンボス加工装置にも有利に使用され得ることは理解されるべきである。
【００２２】
図１及び図２は、エンボス加工装置の概略側面図を示しており、より詳細には、図１は、ウェブ材料Nの製造工程中のエンボス加工装置２００を示している。ウェブ材料Nは、二つの連続プライV１及びV２を接着することにより得ることができる。図１においてP1及びP２は、プライV1及びV２の経路を全体として示している。他の実施例では、ウェブNのプライの数は二つ以上でもよく、プライ用の二つ以上の供給経路を設けてもよい。
【００２３】
各プライV１及びV２は、相互に重ねられ、場合によっては、例えば、エンボス加工装置２００の上流に配置されたプライ接着ユニット又はエンボス加工ユニットによって相互に接着された一つ又はそれ以上のレイヤー、シート又は構成要素で形成され得る。
【００２４】
図示実施例では、エンボス加工装置２００は、全体が符号２０１で示された支持構造体を備えている。支持構造体は、二つのサイドフランク２０３及び基部構造体２０５を備え得る。
【００２５】
幾つかの実施例では、第一エンボス加工ローラ２０７及び第二エンボス加工ローラ２０９が、支持構造体２０１の二つのフランク２０３の間に配置され得る。
【００２６】
第一エンボス加工ローラ２０７には、図１Aの拡大詳細図に示すように複数のエンボス突起２０７Pが設けられ得、同時に、第二エンボス加工ローラ２０９には、図１Bの拡大図に示すように、複数のエンボス突起２０９Pが設けられ得る。
【００２７】
第一エンボス加工ローラ２０７は、第一加圧ローラ２１１と協動し得る。幾つかの実施例では、加圧ローラ２１１は、降伏材料、好ましくは、例えば、ゴム等の弾性のある降伏材料で形成された外側層２１１で被覆され得る。第二エンボス加工ローラ２０９は、第二加圧ローラ２１３と協働し得る。幾つかの実施例では、加圧ローラ２１３も、降伏材料、特に、弾性のある降伏材料で形成された外側層２１３Aで被覆され得る。
【００２８】
符号２０７X,２０９X、２１１X及び２１３Xは、二つのエンボス加工ローラ２０７，２０９及び二つの加圧ローラ２１１、２１３の回転軸線を各々示している。これらの軸線は、実質的に相互に平行である。
【００２９】
第一エンボス加工ローラ２０７及び第一加圧ローラ２１１の間には、第一エンボス加工ニップ２１５が形成され、該第一エンボス加工ニップ２１５を第一プライVIが通過して、第一エンボス加工ローラ２０７の突起２０７Pによってエンボス加工される。加圧ローラ２１１に、外側降伏被覆層２１１Aが設けられている場合、突起２０７Pは第一加圧ローラ２１１に対して押圧され、降伏被覆層２１１Aに入り込み、プライV１を恒久的に変形する。
【００３０】
第二エンボス加工ローラ２０９と第二加圧ローラ２１３との間には、第二プライV２が通過する第二エンボスニップ２１７が形成される。第二加圧ローラ２１３に対して加圧される第二エンボス加工ローラ２０９の突起２０９Pの効果で、第二プライV２は、第一プライV１と同様にエンボス加工される。この段位エンボス加工ローラに、弾性降伏被覆層２１３Aが設けられている場合、エンボス加工突起２０９Pが降伏被覆層に入り込み、プライV２を恒久的に変形させる。
【００３１】
二つの加圧ローラ２１１及び２１３は、以下に説明する目的のために、各エンボス加工ローラ２０７及び２０９に向けて又はそこから離れる方向に動くことを可能にするアーム又は他の部材によって支持され得る。作動装置（図示せず）、例えば、シリンダ・ピストン式作動装置が、第一加圧ローラ２１１を第一エンボス加工ローラ２０７に対して押圧するため、及び第二加圧ローラ２１３を第二エンボス加工ローラ２０９に対して押圧するために使用され得る。
【００３２】
幾つかの実施例では、二つのエンボス加工ローラ２０７及び２０９は、先端・先端法で動作するように構成され得、即ち、ウェブ材料のプライを、二つのエンボス加工ローラ２０７及び２０９間に形成されるニップ２１９においてお互いに押し付けるために相互に向き合って配置された突起２０７P及び２０９Pを備える。
【００３３】
他の実施例では、エンボス加工装置２００は、エンボス加工ローラ２０９に対して押圧されるラミネート加工ローラ２２１を備え、エンボス加工ローラ２０９とラミネート加工ローラ２２１との間にラミネートニップ２２３を形成する。これにより、二つのプライV１及びV２は、第二エンボス加工ローラ２０９とラミネート加工ローラ２２１との間でラミネート加工され得る。ニップ２１９において、エンボス加工ローラ２０７及び２０９は、相互に僅かに離間され、その結果、二つのプライV１及びV２は相互に接触しない。この場合、エンボス加工装置は、プライV２のエンボス突起がプライV１のエンボス突起間に入れ子にされ、逆もまた同様にされる、所謂、入れ子式技術に従って、エンボス加工された材料を生成し得る。
【００３４】
幾つかの実施例では、エンボス加工装置２００ｂは、選択的に、先端・先端モードと入れ子モードで動作するように構成され得る。この目的のために、エンボス加工ローラは、例えば、その軸線を中心に角度方向に移動可能にされ得、及び／又はそららの軸線に平行に移動可能にされ得、ラミネート加工ローラは、選択的に、作動位置及び非作動位置の間で移動され得る。
【００３５】
エンボス加工装置２００は、接着剤ディスペンサ２２５を有し得る。接着剤ディスペンサ２２５は、接着剤供給源２２７と、接着剤供給源２２７から接着剤を取り出す第一スクリーンローラ又はアニロックスローラ２２９と、スクリーンローラ２２９から接着剤を受け取り、第二エンボス加工ローラ２０９に付着したエンボス加工されたプライV２の部分に接着剤を塗布する第二プレートローラ又は塗布ローラ２３１とを有し得る。概して、接着剤は、少なくともエンボス加工ローラ２０９に設けられたエンボス突起２０９Pの幾つかの前面の位置で、エンボス突起２０９Pによってエンボス加工されたプライの部分に塗布される。
【００３６】
幾つかの実施例では、接着剤ディスペンサ２２５は、例えば、固定構造体２０１の構成要素によって支持されたガイド２３５に沿って、両矢印ｆ２３３に沿って可動するスライド又はキャリッジ２３３に設けられる。両矢印ｆ２３３に沿った動きは、不図示の適切な作動装置、例えば、シリンダ・ピストン式作動装置、電気モータ又は任意の他の適切な作動装置を用いて制御され得る。
【００３７】
幾つかの実施例では、一つ又は複数の直立部材２３７がキャリッジ２３３に関連付けられており、前記直立部材２３７は、実質的に垂直に延び、そこにガイドが設けられ得る。前記ガイドは、直立部材２３７に沿った両矢印ｆ２３９に従うスライド２３９の動きをガイドする。幾つかの実施例では、二つの直立部材２３７が、フランク２０３の近くに設けられ得、各スライド２３９が、各直立部材に配置され得る。図面では、一つの直立部材及びスライドだけが示されているが、第二の直立部材及び第二のスライドが図面に示した直立部材及びスライドの後ろにあることは理解されるべきである。
【００３８】
適切な作動装置（図示せず）は、両矢印ｆ２３９に沿ったスライド２３９又は各スライド２３９の上方及び下方への動きを制御するために設けられ得る。例えば、この目的のために、モータ、例えば、電気又は油圧モータを用いて作動されるネジ付き棒が設けられ得る。スライドに支持されたナットが、ネジ付き棒に噛合し得る。他の実施例では、少なくとも一方がモータで作動されるプーリの周りで駆動される歯付きベルト又は他の連続可撓性部材を備えた機構が設けられ得る。スライド２３９は、連続可撓性部材のブランチに固定され得、その結果、ベルトの動きにより、スリアドが垂直方向に動かされる。別の実施例では、スライド２３９又は各スライド２３９の垂直方向の動きは、ラック・ピニオン機構を用いて、例えば、直立部材２３７に固定ラックを設け、スライドにモータ駆動されるピニオンを設けることによって提供され得る。二つの直立部材及び二つのスライドが設けられる場合、昇降機構が二重にされ得、昇降機構は、二つのスライド２３９を同時に昇降するために、適切に調節して、電子的に同期され得る。
【００３９】
有利な実施例では、各スライド２３９は、エンボス加工装置２００に設けられたエンボス加工ローラ２０７及び／又は２０９を、以下に説明するマガジンに収容された他のエンボス加工ローラに交換するために、エンボス加工ローラを動かすための各操作部材２４１を支持する。二つ又はそれ以上のスライド２３９が設けられている場合、一組のハンドル部材２４１が、エンボス加工ローラを動かすための操作装置を形成する。
【００４０】
エンボス加工ローラ交換サイクルの以下の説明から明らかになるように、操作装置２４１は、例えば、有利には水平方向及び垂直方向の複合動作を有する。これにより、加工移送動作によってエンボス加工ローラがマガジンに移送され得る位置まで、エンボス加工ローラを各加圧ローラから、及び／又は他のエンボス加工ローラから離す方向に動かすことが可能になる。
【００４１】
キャリッジ２３３の実施可能な位置を示す図１及び図２を比較することで分かるように、両矢印ｆ２３３に沿ったキャリッジ２３３の動きにより、直立部材２３７が水平方向に動く。従って、スライド２３９及び操作装置２４１も、キャリッジ２３３と一緒に水平に移動することができる。
【００４２】
さらにまた、上述したように、スライド２３９は、例えば、下降位置及び上昇位置の間で移動可能である。
【００４３】
従って、スライド２３９及び操作装置２４１は、以下に説明するサイクルでエンボス加工ローラを交換するように、それらを動かすために、相互に直交する二つの移動軸線、即ち、水平軸線及び垂直軸線に従って動く。
【００４４】
複数の交換可能なエンボス加工ローラ用のマガジン２４５が、基部構造体２０５と関連付けられ得、各ローラは、図１に示した構成では、基礎構造体２０１のフランク２０３間に設けられた二つのエンボス加工ローラ２０７及び２０９の一方又は他方に置き換わり得る。
【００４５】
図示実施例では、マガジン２４５は、基礎構造体２０５の中に収容される。幾つかの実施例では、マガジン２４５は、両矢印ｆ２４７によって示された移動方向に従った移動運動をするキャリッジ２４７を有し得、マガジン２４５内に収容された交換可能なエンボス加工ローラの一方又は他方を選択することができるようにしている。以下の説明で明らかになるように、両矢印ｆ２４７に従った移動方向により、ローラをマガジンから引き出し、ローラをマガジンに挿入するために、エンボス加工ローラ、即ち、キャリッジのシートを、ステーション２１（図４）に位置決めすることが可能になる。この方法では、エンボス加工装置２００の動作中にシングルローラがマガジンから引き出され、かつ、その中に挿入される。
【００４６】
図示実施例では、マガジン２４５は、５つのエンボス加工ローラ支持シートを備え、シートは、符号２４９A、２４９B、２４９C、２４９D及び２４９Eで示されている。図１の構成では、マガジン２４５は、４つのエンボス加工ローラ２５１、２４３、２５５及び２５７を収容しており、これらは夫々、支持シート２４９A、２４９B、２４９D及び２４９Eに収容されている。図１の状態では、中間シート２４９Cは空であり、中心位置に配置され、接着ローラ２３１のほぼ下方にある。
【００４７】
図１に示すように、この実施例では、基礎構造体２０５は、方向ｆ２４７において、キャリッジの長さより大きな寸法を有し、その結果、シート２４９A〜２４９Eの一方又は他方を、キャリッジ２３３をエンボス加工ローラ２０７，２０９から離すことによって、基礎構造体２０５の上部に形成され得る通路２６１に対応して移動させるために、キャリッジが基礎構造体２０５の内部で移動できるようになる。エンボス加工ローラは、以下に説明するように、通路２６１を通してマガジン２４５へ、そして、マガジン２４５から移動される。
【００４８】
装置内にあるエンボス加工ローラ２０７及び２０９は、作動位置において、フランク２０３間に一体的に収容され得る。エンボス加工ローラ２０７及び２０９は、有利には、フランク２０３に設けられた中心部材（図示せず）によって保持され、回転駆動され得る。他の実施例では、エンボス加工ローラは、エンボス加工ローラをエンボス加工装置から引き出すために、そして、エンボス加工装置に挿入するために、公知の解放可能な支持部材によって支持され得る。中心部材及び解放可能な支持部材の実施例は、国際公開第WO2015/150452号公報に開示されており、その内容は本明細書に一体的に組み込まれる。
概して、装置内にあるエンボス加工ローラ２０７及び２０９の一方若しくは他方、又は両方を、マガジン２４５内にあるエンボス加工ローラ２５１〜２５７の一方又は他方に交換するために、操作装置２４１は、エンボス加工ローラ２０７又は２０９、２５１〜２５７の何れか一つに係止し、それらを以下に説明するように動かすように構成される。
【００４９】
図１において、エンボス加工装置２００は、作動状態で示されており、一対のエンボス加工ローラ２０７及び２１１並びに２０９及び２１３の間で別々にエンボス加工するために、第一プライV１及び第二プライV２がエンボス加工ローラに向けて矢印ｆ１及びｆ２に従って前方に動く。エンボス加工されたプライは、エンボス加工ローラ２０９とラミネート加工ローラ２２１との間で接着され、かつ、ラミネート加工され、従って、矢印ｆNに従って、下流のステーション、例えば、不図示の巻戻しステーションに向けて前方に動くマルチプライウェブ材料Nが形成される。プライV１及びV２を一緒に結合するために、加圧ローラ２１３は、エンボス加工ローラ２０９に対して押圧され、同時に、加圧ローラ２１１がエンボス加工ローラ２０７に対して押圧され、かつ、ラミネート加工ローラ２２１がエンボス加工ローラ２０９に対して押圧される。
【００５０】
エンボス加工ローラ２０７及び２０９の一つ又は両方を、マガジン２４５に配置された他のエンボス加工ローラに交換すべき時は、始めに、プライV１及びV２の供給が中断され、エンボス加工装置２００の様々なローラの動きが停止される。キャリッジ２３３は、エンボス加工ローラ２０７及び２０９並びに加圧ローラ２１１及び２１３から離れる方向に移動され得る。図２は、マガジン２４５の空シート２９４Cの上の通路２７１を残して、キャリッジ２３３を一対のフランク２０３及びエンボス加工ローラ２０７及び２０９から離れる方向に動かした工程を示している。
【００５１】
次のステップで、操作装置２４１は、基礎構造体２０５の内部、即ち、エンボス加工装置２００の通常動作中にそれが収容されたままになる空間の下側位置から上昇され得る。操作装置２４１は、上側エンボス加工ローラ２０９のカラー即ち、環状突起部２６５とほぼ同じ高さにある支持要素２４１Aの位置まで上昇される。以下の操作の詳細な説明については、国際公開WO-A-2015/150452号に開示されている内容が参照される。
【００５２】
別の実施例では、操作部材２４１及びその移動システムは、マガジンが閉鎖され、エンボス加工装置２００が動作している時に、操作部材がマガジンの外側に留まり得るように構成され得る。この方法では、マガジンの内部及びそこの収容されているローラは、ウェブ材料のプライV１及びV２の製造によって生成されるセルロース繊維又は他の屑の侵入に対してより良好に保護される。
【００５３】
マガジン２４５の柔軟性及び性能を向上させるために、シート２４９A〜２４９Eを支持する図１及び図２に概略的に示されているだけのキャリッジ２４７に対する新規が構造が提供される。マガジン２４５の詳細について図３〜図１１を参照して以下に説明する。
【００５４】
一般的に言うと、マガジン２４５のキャリッジ２４７は、相互に連結し、かつ、相互に解放され得る単一セクションに細分され得る。マガジン２４５の一部分は、キャリッジ２４７の引き出し及び挿入セクション用のステーションを形成し、各セクションは、各々エンボス加工ローラ用の少なくとも一つのシートを有する。この方法では、エンボス加工ローラの装填及び取り出し位置で、マガジンからキャリッジ２４７の単一セクションを引き出すことが可能である。この位置で、例えばブリッジクレーンを使用して、マガジンから引き出されたシートに配置されているエンボス加工ローラを取り外し、別のローラと取り換えることができる。これら全ての操作は、マガジンの内部に、エンボスユニットの動作と、装着され動作しているエンボス加工ローラの、マガジン内にあるキャリッジのセクションのシートに配置されたローラへの交換との両方を可能にするのに適したキャリッジの複数のセクションが存在したままの状態で実行され得る。より具体的には、エンボス加工装置が、エンボス加工装置に装着されたエンボス加工ローラを通常通りに動作させている間に、キャリッジのセクションは引き出され得る。従って、エンボス加工装置は、マガジンの内部又は外部でのローラの交換操作とは独立して作動する。マガジン及びエンボス加工装置が協働するステップは、エンボス加工ローラの一つ又は両方を交換するステップだけである。
【００５５】
より具体的には、幾つかの実施例によれば、キャリッジ２４７は、複数のセクション１を備え、各セクション１は、エンボス加工ローラ用の少なくとも一つのシート２４９を画定する部材を備えている。シートは、二つの対向する一対の支持面によって形成され得、各対が、キャリッジ２４７のセクション１に配置される各ローラRを支持するクレードルを画定する。図示実施例では、各ローラRには、支持ベアリングCが設けられ、前記支持ベアリングCはローラの回転軸Pに連結されたままであり、従って、ローラRと一緒にエンボス加工装置２００から除去される。図示実施例では、各シート２４９は、ローラRの各ベアリングCを支持するように構成されている。
シート２４９を形成する二対の支持表面は、バー２によって連結されたプロファイル２５０又は他の構成要素に固定される。添付図面の図示実施例では、キャリッジの各セクション１の二つのプロファイル２５０は、二つのバー２によって相互に連結されているが、別の実施例では、異なる数の連結バー２を設けてもよく、例えば、一つの適切な形状のバー又は実質的に平行な三つ又はそれ以上のバー２を設けてもよいことは理解されるべきである。
【００５６】
図３〜図１１には、エンボス加工ローラ２０７，２０９及び２５１〜２５７の何れか一つであり得る一つのエンボス加工ローラRだけが示されている。また、キャリッジ２４７は、連結された一連のセクション１の中の最も遠いセクション１に連結された補助セクション３を備えている。
【００５７】
キャリッジ２４７は、特に図３及び図４に示すように二つの長手方向平行ガイド５の間に画定されたキャリッジ２４７用の移動空間７に配置されている。図示実施例では、各長手方向ガイド５には、各ピニオン１１と係合するラック９が設けられている。二つのピニオン１１は、シャフト１３と同軸であり、かつ、キー係合されており、シャフト１３は、キャリッジ２４７の操作方向ｆ２４７における動きを制御するモータ１５によって回転され得る。モータ１５及びシャフト１３は、キャリッジ２４７の補助セクションに設けられている。
【００５８】
別の実施例では、操作方向ｆ２４７にキャリッジ２４７を動かすために、別の機構、例えば、ベルトシステムやネジ付きバーシステム等の別のシステムが使用され得る。
【００５９】
各長手方向ガイド５は、その長手方向中間位置、例えば、限定するものではないがそのほぼ中間にギャップ１７を備えている（特に図５参照）。ギャップ１７は、キャリッジ２４７の一部を形成する引出し及び挿入セクション１用の引き出し及び挿入ステーションを画定している。二つの長手方向ガイド部材１９A及び１９Bがギャップ１７に挿入され、これらガイド部材は、以下に説明するように、挿入及び引出し方向Fに動かされるセクション１の一つに、その都度、係合するように構成されている。引出し及び挿入ステーションは、符号２１によって概略的に示されている（図４）。長手方向ガイド部材１９A及び１９Bは、特に図８及び図９に示すように、バー２０を用いて相互に連結されている。図示実施例では、三つのバー２０が設けられているが、他の実施例では、異なる数のバー、例えば、一つ、二つ、四つ又はそれ以上のバー２０が設けられ得る。
【００６０】
キャリッジ２４７の各セクション１は、長手方向ガイド５に係合する係合要素２３を有する。図示実施例では、長手方向ガイド５は、C字型プロファイル５C（図３及び図３A参照）を備え、係合要素２３は、前記プロファイル５Cの中に挿入されるホイールを備える。各セクション１は、好ましくは、各ガイド５用の複数のホイールを有する。別の実施例では、係合要素２３は、異なる方法で構成され得、例えば、角柱長手方向ガイド５に係合するシューの形態で構成され得る。
【００６１】
長手方向ガイド部材１９A及び１９Bは、例えば図１０及び図１１に示すように、同じ係合要素２３によって係合されるような形状を有する。例えば、長手方向ガイド部材１９A及び１９Bは、長手方向ガイド５のプロファイル５Cと同じか、実質的に同じC字型プロファイルを有し得る。
【００６２】
別の実施例では、係合要素２３並びにガイド部材１９A及び１９Bは、異なる方法で形成され得る。例えば、ガイド部材１９A及び１９Bはダブテール継手であり得、又は、他の適当な形状であり得る。また、係合要素２３は、ガイド部材１９A及び１９Bにスライド係合するシューであり得る。
【００６３】
長手方向ガイド部材１９A及び１９Bが長手方向ガイド５のギャップ１７に挿入されると、ガイド部材１９A及び１９Bは、長手方向ガイド５と共に、連続する長手方向ガイドを形成し、その結果、キャリッジ２４７の様々なセクション１が、キャリッジ２４７の移動空間７の全長に沿って移動し得るようになる。この目的のために、長手方向ガイド部材１９A及び１９Bは、符号５Cで示すC字型プロファイル片を有し、長手方向ガイド部材１９A及び１９Bを長手方向ガイド５に整列させた時にC字状の連続プロファイルを形成する。
【００６４】
セクション１は、クイック連結及び解放システムを用いて、相互に連結することができ、かつ、補助セクション３に連結することができる。セクション１及び３は、好ましくは、挿入及び引出し方向F（図３及び図４）におけるセクション１及び３の単純な相互移動によって相互に連結できる連結部材を有する。挿入及び引出し方向Fは、実質的に、マガジンの空間７におけるキャリッジ２４７の操作方向ｆ２４７に直交している。
【００６５】
図示実施例では、各セクション１は、その両側に、即ち、ガイド５に隣接して、二つの付属部材２５及び２７を備え、これら付属部材２５及び２７の各々は、キャリッジ２４７のセクション１の挿入及び引出し方向Fに延びる溝を画定する。二つの付属部材２５及び２７によって画定された溝は、相互に向き合っており、付属部材２５によって形成された溝は下方に開口し、付属部材２７によって形成された溝は上方に開口している。この方法では、二つの付属部材２５及び２７が、矢印Fに沿った単純な動作によって相互に連結され、かつ、解放され得る。
【００６６】
この構成によって、各セクション１を、矢印F方向の動きで、移動空間７の中に挿入し、かつ、そこから引き出すことが可能になり、その動きが、セクション１の隣接するセクションへの自動連結を生じさせ、かつ、隣接するセクションからの自動解放を生じさせる。キャリッジ２４７の各セクション１は、それに隣接する二つのセクション１から独立してマガジン２４５から引き出すことができ、かつ、再度挿入することができ、また、同じ位置にある他のセクション１と置き換えられ得る。
【００６７】
単純な方法で各セクション１を挿入し、かつ、引出すために、引出しステーション２１にあるセクションは、有利には、係合部材２３を用いて、二つの長手方向ガイド部材１９A及び１９Bと係合したままの状態に保たれる（図１０及び図１１参照）。長手方向ガイド部材１９A及び１９Bにおける引出しステーション２１に配置されたセクション１の係合要素２３を挿入することによって、セクション１はガイド部材１９A及び１９Bと係合する。従って、長手方向ガイド部材１９A及び１９Bは、セクション１と共に挿入及び引出し方向Fに引き出される。
【００６８】
幾つかの実施例では、各長手方向ガイド部材１９A及び１９Bは、挿入及び引出し方向Fと平行にのびる横方向ガイドシステム２９と係合するように係合部材に関連付けされ得る。横方向ガイドシステム２９は、相互に平行な一つ又は複数のトラック、溝又は他の長手方向ガイド要素を備え、長手方向ガイド部材１９A及び１９Bに固定された、そのシュー、ホイール又は他の係合部材が係合する。
【００６９】
例えば、二つの平行なトラックが設けられ得、これらのトラックが、二つの長手方向部分１９A及び１９Bに固定されたシュー又はホイールと協働する。選択的に、ガイドシステムは、地面に固定されたローラコンベアを有し得、ローラコンベアは、それと係合するための係合部材と協働し、係合部材は、長手方向ガイド部材１９A及び１９Bに一体的に設けられている。
【００７０】
図示実施例では、より複雑な横方向ガイドシステム２９が設けられており、このガイドシステム２９は、一対の外側トラック３１A及び３１B並びに一対の内側トラック３３A及び３３Bを備え、内側トラック３３A及び３３Bは、外側トラック３１A及び３１Bの間に、それに平行に設けられている（図８及び図９参照）。長手方向ガイド部材１９Bによって支持された成形ホイール３７A及び３７Bは、外側トラック３１A及び３１Bと係合し得る。長手方向ガイド部材１９Aに一体的に設けられたシュー３９A及び３９Bは、内側トラック３３A及び３３Bと係合し得る（図５、図５A及び図５B参照）。
【００７１】
図５、図５B及び図５Bに示すように、シュー３９A及び３９Bは、より良好な支持及びより良好な反作用力を得るために、引出し方向Fにおいて相互に互い違いに配置され得る。
【００７２】
ピニオン４３を駆動するモータ４１は、長手方向ガイド部材１９Aに固定されている。ピニオン４３は、横方向ガイドシステム２９に一体的に設けられ得るラック４５と噛み合う。図示実施例では、ラック４５は、トラック３３Bと隣接し、それに平行である。この方法では、モータ４１の回転により、引出しセクション２１に整列しているセクション１が引出し方向Fに移動する。
【００７３】
上述した構成により、キャリッジ２４７は、マガジン２４５に配置されたエンボス加工ローラを交換するために、以下に説明するように動作し得る。キャリッジ２４７は、モータ１５によって、矢印ｆ２４７に従って、引出されるべきセクション１が引出しステーション２１に到達するまで動かされる。その移動は、長手方向ガイド５に沿ったものであり、長手方向ガイド５の中間ギャップ１７は、一時的に長手方向ガイド５と整列し、かつ、バー２０で相互に連結されたガイド部材１９A及び１９Bによって閉鎖されている。例えば、シート２４９に配置されたエンボス加工ローラRを除去又は交換するために引き出されるべきセクション１が引出しステーション２１の位置にある時、モータ４１は駆動される。モータ４１は、移動ガイドシステム２９に沿って選択されたセクション１を動かす。シュー３９A及び３９Bは、ラック４５と協働するピニオン４４のスラスト力下で、移動をガイドするのに適した反作用力を与える。セクション１は、係合要素２３によって、二つの長手方向ガイド部材１９A及び１９Bと一時的に連結される。前記長手方向ガイド部材は、バー２０及び、移動ガイドシステム２９と係合するための係合部材（シュー３９A及び３９B並びに成形ホイール３７A及び３７B）と共にスライドを実質的に形成する。この方法では、セクション１並びにバー２９によって相互に連結された長手方向ガイド部材１９A及び１９Bは、方向Fにおける単一スライドとして形成する。各シート２４９で支持されたエンボス加工ローラRを備えたセクション１は、シュー３３A及び３３B並びにホイール３１A及び３１Bによって、移動ガイドシステム２９に沿って支持される。矢印Fに従った引出し動作によって、相互連結部材２５及び２７の形状のために、長手方向ガイド部材１９A及び１９Bに固定されたセクション１が、二つの隣接するセクション１から自動的に解放される。
【００７４】
一度、キャリッジ２４７のセクション１が、二つの長手方向ガイド５の間の移動空間７の外側に持ってこられると、そのセクションは、マガジン２４５が組み込まれたエンボス加工装置の外側にくる。この位置で、引出しセクション１上にあるエンボス加工ローラRは除去され得、かつ、他のエンボス加工ローラと交換され得る。このステップにおいて、エンボス加工ローラの操作は公知の方法、例えば、ブリッジクレーンを用いて、又はグランド操作システムを用いて実行され得る。
エンボス加工ローラRが交換されると、セクションの引出しのために説明した動作と反対の動作で、長手方向ガイド部材１９A及び１９Bを再び長手方向ガイド５と整列させて、セクション１が移動空間７の中に再び挿入され得る。これにより、長手方向ガイドの連続性が復元され、必要に応じて別のステーション１を引出しステーションまで持ってくるために、矢印ｆ２４７に沿ってキャリッジ２４７を移動させることが可能になる。
【００７５】
このように構成したマガジン及びキャリッジ２４７を用いて、例えば、エンボス加工装置の動作中に、簡単で迅速な方法で、マガジン２４５の一つ又は複数のエンボス加工ローラを、他のエンボス加工ローラに交換することが可能になる。
【００７６】
マガジン２４５には、特に、エンボス加工装置２００によって生成されるプライV１及びV２から落下し得る塵及びセルロースファイバから、その中に収容されたエンボス加工ローラを保護するために、閉鎖システム、例えば、側壁及び／又は上壁が設けられ得る。閉鎖システムは、マガジン２４５からキャリッジ２４７のセクション１を引き出す必要がある時、又はマガジンにセクション１を挿入する必要がある時に、開放され得る。
【００７７】
上述した実施例では、キャリッジ２４７の単一セクション１は、挿入及び引出し方向Fに従った簡単な動きにより、溝２５及び５７のおかげで、相互に連結又は解放され得るが、他の実施例では、必要に応じて、固定及び解放作動装置を備えた異なる機械的部材を用いて、セクション１を相互に、かつ、補助セクション３に連結することが可能である。例えば、セクション１を連結するために相互に連結し、かつ、適当な作動装置を用いて相互に分離する結合部材が設けられ得る。作動装置は、例えば、ステーション２１の固定位置に配置され得、また、各作動装置が各セクション１に設けられ得、必要に応じて、補助セクション３に設けられ得る。
【図１】
2019510660.tif 000003
【図１Ａ】
2019510660.tif 000004
【図１Ｂ】
2019510660.tif 000005
【図２】
2019510660.tif 000006
【図３】
2019510660.tif 000007
【図３Ａ】
2019510660.tif 000008
【図４】
2019510660.tif 000009
【図５】
2019510660.tif 000010
【図５Ａ】
2019510660.tif 000011
【図５Ｂ】
2019510660.tif 000012
【図６】
2019510660.tif 000013
【図７】
2019510660.tif 000014
【図８】
2019510660.tif 000015
【図９】
2019510660.tif 000016
【図１０】
2019510660.tif 000017
【図１１】
2019510660.tif 000018
【国際調査報告】
2019510660.tif 000019
2019510660.tif 000020